(57)【特許請求の範囲】
【請求項１】
上辺および下辺のそれぞれの長さが左辺および右辺のそれぞれの長さよりも長い長方形の画面を有し、コード画像およびコンテンツ画像を含む合成画像を前記画面内にその全域に亘って表示するディスプレイ装置と、
前記合成画像が表示された前記画面の全体を撮影する撮影装置と、
前記撮影装置により撮影された前記画面中の前記合成画像に対して情報処理を行う情報処理装置と、
前記情報処理装置により行われた前記情報処理の結果を出力する出力処理を行う出力装置とを備え、
前記コード画像は前記画面の周縁部に配置され、前記コンテンツ画像は前記画面の中央部に配置され、前記コード画像は前記コンテンツ画像をその全周に亘って包囲し、
前記コンテンツ画像は動画または映像であり、
前記コード画像は、前記画面の外形に沿い、前記画面の周縁に隣接し、前記画面の全周に亘って伸長し、前記コード画像の外形の大きさが前記画面の外形の大きさと一致する枠型に形成され、前記画面の４つの辺の全長に亘ってそれぞれ伸長する４つの直線状の画像片を有し、
前記４つの画像片のうち、前記画面の上辺および下辺に沿って伸長する２つの画像片のそれぞれの上下方向の長さは前記画面の上下方向の長さの０％よりも大きくかつ２０％以下であり、
前記４つの画像片のうち、前記画面の左辺および右辺に沿って伸長する２つの画像片のそれぞれの左右方向の長さは前記画面の左右方向の長さの０％よりも大きくかつ２０％以下であり、
前記各画像片は、第１の色または第２の色を有する所定形状の複数の図形を配列することにより形成された幾何学パターンである二値データパターンを含み、
前記二値データパターンは記録情報を表現し、
前記コード画像において前記画面の少なくとも３隅に対応する部分には、前記コード画像の位置を示す幾何学マークである位置マークが配置され、
前記情報処理は、前記撮影装置により撮影された前記合成画像中の前記コード画像の全体を前記位置マークに基づいて特定すると共に、当該特定したコード画像の前記各画像片に含まれる前記二値データパターンが表現する前記記録情報を認識する処理を含み、
前記出力処理は、前記情報処理において認識された前記記録情報または当該記録情報に対応する情報を表示し、音声出力し、または送信する処理を含むことを特徴とする情報伝達システム。
【請求項２】
前記コード画像の外形の左右方向の長さと前記コード画像の外形の上下方向の長さとの比が、前記画面の左右方向の長さと前記画面の上下方向の長さとの比に一致することを特徴する請求項１に記載の情報伝達システム。
【請求項３】
前記４つの画像片のうち、前記画面の上辺に沿って伸長する画像片の上下方向の長さと、前記画面の下辺に沿って伸長する画像片の上下方向の長さと、前記画面の左辺に沿って伸長する画像片の左右方向の長さと、前記画面の右辺に沿って伸長する画像片の左右方向の長さとがそれぞれ一致することを特徴とする請求項１または２に記載の情報伝達システム。
【請求項４】
前記記録情報は、サーバ装置から前記出力装置へ送信すべき情報を指定するための識別情報を含み、
前記出力処理は、前記情報処理において認識された前記記録情報に含まれる前記識別情報を前記サーバ装置に送信し、これに応じて前記サーバ装置から送信された情報を受信し、当該受信した情報を出力する処理を含むことを特徴とする請求項１ないし３のいずれかに記載の情報伝達システム。
【請求項５】
コード画像およびコンテンツ画像を含む合成画像を、上辺および下辺のそれぞれの長さが左辺および右辺のそれぞれの長さよりも長い長方形の画面を有するディスプレイ装置の当該画面内にその全域に亘って表示する画像表示工程と、
前記画像表示工程において前記合成画像が表示された前記画面の全体を撮影装置により撮影する撮影工程と、
前記撮影工程において撮影された前記画面中の前記合成画像に対して情報処理装置により情報処理を行う情報処理工程と、
前記情報処理工程において行われた前記情報処理の結果を出力装置により出力する出力処理を行う出力工程とを備え、
前記コード画像は前記画面の周縁部に配置され、前記コンテンツ画像は前記画面の中央部に配置され、前記コード画像は前記コンテンツ画像をその全周に亘って包囲し、
前記コンテンツ画像は動画または映像であり、
前記コード画像は、前記画面の外形に沿い、前記画面の周縁に隣接し、前記画面の全周に亘って伸長し、前記コード画像の外形の大きさが前記画面の外形の大きさと一致する枠型に形成され、前記画面の４つの辺の全長に亘ってそれぞれ伸長する４つの直線状の画像片を有し、
前記４つの画像片のうち、前記画面の上辺および下辺に沿って伸長する２つの画像片のそれぞれの上下方向の長さは前記画面の上下方向の長さの０％よりも大きくかつ２０％以下であり、
前記４つの画像片のうち、前記画面の左辺および右辺に沿って伸長する２つの画像片のそれぞれの左右方向の長さは前記画面の左右方向の長さの０％よりも大きくかつ２０％以下であり、
前記各画像片は、第１の色または第２の色を有する所定形状の複数の図形を配列することにより形成された幾何学パターンである二値データパターンを含み、
前記二値データパターンは記録情報を表現し、
前記コード画像において前記画面の少なくとも３隅に対応する部分には、前記コード画像の位置を示す幾何学マークである位置マークが配置され、
前記情報処理は、前記撮影装置により撮影された前記合成画像中の前記コード画像の全体を前記位置マークに基づいて特定すると共に、当該特定したコード画像の前記各画像片に含まれる前記二値データパターンが表現する前記記録情報を認識する処理を含み、
前記出力処理は、前記情報処理において認識された前記記録情報または当該記録情報に対応する情報を表示し、音声出力し、または送信する処理を含むことを特徴とする情報伝達方法。
【請求項６】
前記コード画像の外形の左右方向の長さと前記コード画像の外形の上下方向の長さとの比が、前記画面の左右方向の長さと前記画面の上下方向の長さとの比に一致することを特徴する請求項５に記載の情報伝達方法。
【請求項７】
前記４つの画像片のうち、前記画面の上辺に沿って伸長する画像片の上下方向の長さと、前記画面の下辺に沿って伸長する画像片の上下方向の長さと、前記画面の左辺に沿って伸長する画像片の左右方向の長さと、前記画面の右辺に沿って伸長する画像片の左右方向の長さとがそれぞれ一致することを特徴とする請求項５または６に記載の情報伝達方法。
【請求項８】
前記記録情報は、サーバ装置から前記出力装置へ送信すべき情報を指定するための識別情報を含み、
前記出力処理は、前記情報処理において認識された前記記録情報に含まれる前記識別情報を前記サーバ装置に送信し、これに応じて前記サーバ装置から送信された情報を受信し、当該受信した情報を出力する処理を含むことを特徴とする請求項５ないし７のいずれかに記載の情報伝達方法。
【発明の詳細な説明】
【技術分野】
【０００１】
本発明は、ディスプレイ装置にコンテンツ画像と共に表示されたコード画像を用いて情報を伝達する情報伝達システムおよび情報伝達方法に関する。
【背景技術】
【０００２】
ＱＲコード（登録商標）等の二次元コードは、通常、紙面に印刷して利用する。しかし、二次元コードをディスプレイ装置の画面に表示する画像（静止画、動画および映像を含む。）中に表示して利用することもできる（下記の特許文献１を参照）。例えば、テレビショッピング番組において、商品の販売者は、テレビジョン装置の画面に表示する画像中にＱＲコードを表示する。ＱＲコードには、商品の販売者のウェブサイトのＵＲＬ（Ｕｎｉｆｏｒｍ  Ｒｅｓｏｕｒｃｅ  Ｌｏｃａｔｏｒ）がコード化されて記録されている。番組を視聴している視聴者は、スマートフォン等のカメラ付き携帯端末で、画像中に表示されたＱＲコードを読み取ることにより、商品の販売者のウェブサイトにほぼ自動的にアクセスすることができる。視聴者は、そのウェブサイトから携帯端末を介して商品の詳細な情報を取得することができ、また、そのウェブサイトを介して商品購入の手続をすることができる。
【０００３】
一方、近年、デジタルサイネージ（電子看板）が普及している。デジタルサイネージとは、画面に画像を表示し、広告看板や案内表示板、ポスター等として機能するディスプレイ装置である（下記の特許文献２を参照）。このようなディスプレイ装置の画面に表示する画像にＱＲコードを表示することにより、上述したテレビショッピング番組と同様に、消費者や利用者に携帯端末を介して詳細な情報の提供等を行うことができる。
【先行技術文献】
【特許文献】
【０００４】
【特許文献１】国際公開第２００６／１０４１９８号
【特許文献２】特開２０１２−１４３５１号公報
【発明の概要】
【発明が解決しようとする課題】
【０００５】
ところで、通常、ＱＲコードの外形は正方形であり、一辺の大きさは数センチメートルである。したがって、ＱＲコードは、テレビジョン装置の画面に表示された画像のごく一部の領域に表示される。このため、このＱＲコードを携帯端末で読み取るには、携帯端末のカメラとテレビジョン装置の画面との距離が数センチメートルとなるように、携帯端末をテレビジョン装置の画面に近づけなければならない。視聴者は、通常、テレビジョン装置の画面から２メートル〜３メートル程度離れて、テレビジョン装置により放映される番組を視聴するので、テレビジョン装置の画面に表示された画像中のＱＲコードを携帯端末で読み取るために、視聴者はテレビジョン装置の近くまで移動しなければならない。これは面倒であり、また、体の自由のきかない者にとっては困難である。
【０００６】
もっとも、非常に大きなＱＲコードをテレビジョン装置の画面いっぱいに表示すれば、視聴者は、テレビジョン装置の画面から２メートル〜３メートル程度離れた位置から移動せずに、そのＱＲコードを携帯端末で読み取ることができると考えられる。しかし、この場合、ＱＲコードが有するランダムドット柄の意味不明な模様がテレビジョン装置の画面いっぱいに表示されることとなるので、視聴者に不快な印象を与えるおそれがある。また、そのような大きなＱＲコードが表示されている間は商品の画像が表示されないので、視聴者は、販売されている商品を確認することができず、不便である。
【０００７】
このような問題は、テレビジョン装置の場合に限らず、デジタルサイネージにおいても起こり得る。
【０００８】
本発明は例えば上述したような問題に鑑みなされたものであり、本発明の課題は、ディスプレイ装置の画面に表示されたコンテンツ画像（例えば商品の画像）を見ながら、そのコンテンツ画像を見る位置を変えることなく、そのコンテンツ画像を見るだけでは得られないさらなる情報を取得することができるといった利便性を利用者（視聴者、消費者等）にもたらすことができる情報伝達システムおよび情報伝達方法を提供することにある。
【課題を解決するための手段】
【０００９】
上記課題を解決するために、本発明の情報伝達システムは、上辺および下辺のそれぞれの長さが左辺および右辺のそれぞれの長さよりも長い長方形の画面を有し、コード画像およびコンテンツ画像を含む合成画像を前記画面内にその全域に亘って表示するディスプレイ装置と、前記合成画像が表示された前記画面の全体を撮影する撮影装置と、前記撮影装置により撮影された前記画面中の前記合成画像に対して情報処理を行う情報処理装置と、前記情報処理装置により行われた前記情報処理の結果を出力する出力処理を行う出力装置とを備え、前記コード画像は前記画面の周縁部に配置され、前記コンテンツ画像は前記画面の中央部に配置され、前記コード画像は前記コンテンツ画像をその全周に亘って包囲し、前記コンテンツ画像は動画または映像であり、前記コード画像は、前記画面の外形に沿い、前記画面の周縁に隣接し、前記画面の全周に亘って伸長し、前記コード画像の外形の大きさが前記画面の外形の大きさと一致する枠型に形成され、前記画面の４つの辺の全長に亘ってそれぞれ伸長する４つの直線状の画像片を有し、前記４つの画像片のうち、前記画面の上辺および下辺に沿って伸長する２つの画像片のそれぞれの上下方向の長さは前記画面の上下方向の長さの０％よりも大きくかつ２０％以下であり、前記４つの画像片のうち、前記画面の左辺および右辺に沿って伸長する２つの画像片のそれぞれの左右方向の長さは前記画面の左右方向の長さの０％よりも大きくかつ２０％以下であり、前記各画像片は、第１の色または第２の色を有する所定形状の複数の図形を配列することにより形成された幾何学パターンである二値データパターンを含み、前記二値データパターンは記録情報を表現し、前記コード画像において前記画面の少なくとも３隅に対応する部分には、前記コード画像の位置を示す幾何学マークである位置マークが配置され、前記情報処理は、前記撮影装置により撮影された前記合成画像中の前記コード画像の全体を前記位置マークに基づいて特定すると共に、当該特定したコード画像の前記各画像片に含まれる前記二値データパターンが表現する前記記録情報を認識する処理を含み、前記出力処理は、前記情報処理において認識された前記記録情報または当該記録情報に対応する情報を表示し、音声出力し、または送信する処理を含むことを特徴とする。
【００１０】
また、前記コード画像の外形の左右方向の長さと前記コード画像の外形の上下方向の長さとの比が、前記画面の左右方向の長さと前記画面の上下方向の長さとの比に一致することが望ましい。
【００１１】
また、前記４つの画像片のうち、前記画面の上辺に沿って伸長する画像片の上下方向の長さと、前記画面の下辺に沿って伸長する画像片の上下方向の長さと、前記画面の左辺に沿って伸長する画像片の左右方向の長さと、前記画面の右辺に沿って伸長する画像片の左右方向の長さとがそれぞれ一致することが望ましい。
【００１２】
また、前記記録情報は、サーバ装置から前記出力装置へ送信すべき情報を指定するための識別情報を含み、前記出力処理は、前記情報処理において認識された前記記録情報に含まれる前記識別情報を前記サーバ装置に送信し、これに応じて前記サーバ装置から送信された情報を受信し、当該受信した情報を出力する処理を含むことが望ましい。
【００１３】
上記課題を解決するために、本発明の情報伝達方法は、コード画像およびコンテンツ画像を含む合成画像を、上辺および下辺のそれぞれの長さが左辺および右辺のそれぞれの長さよりも長い長方形の画面を有するディスプレイ装置の当該画面内にその全域に亘って表示する画像表示工程と、前記画像表示工程において前記合成画像が表示された前記画面の全体を撮影装置により撮影する撮影工程と、前記撮影工程において撮影された前記画面中の前記合成画像に対して情報処理装置により情報処理を行う情報処理工程と、前記情報処理工程において行われた前記情報処理の結果を出力装置により出力する出力処理を行う出力工程とを備え、前記コード画像は前記画面の周縁部に配置され、前記コンテンツ画像は前記画面の中央部に配置され、前記コード画像は前記コンテンツ画像をその全周に亘って包囲し、前記コンテンツ画像は動画または映像であり、前記コード画像は、前記画面の外形に沿い、前記画面の周縁に隣接し、前記画面の全周に亘って伸長し、前記コード画像の外形の大きさが前記画面の外形の大きさと一致する枠型に形成され、前記画面の４つの辺の全長に亘ってそれぞれ伸長する４つの直線状の画像片を有し、前記４つの画像片のうち、前記画面の上辺および下辺に沿って伸長する２つの画像片のそれぞれの上下方向の長さは前記画面の上下方向の長さの０％よりも大きくかつ２０％以下であり、前記４つの画像片のうち、前記画面の左辺および右辺に沿って伸長する２つの画像片のそれぞれの左右方向の長さは前記画面の左右方向の長さの０％よりも大きくかつ２０％以下であり、前記各画像片は、第１の色または第２の色を有する所定形状の複数の図形を配列することにより形成された幾何学パターンである二値データパターンを含み、前記二値データパターンは記録情報を表現し、前記コード画像において前記画面の少なくとも３隅に対応する部分には、前記コード画像の位置を示す幾何学マークである位置マークが配置され、前記情報処理は、前記撮影装置により撮影された前記合成画像中の前記コード画像の全体を前記位置マークに基づいて特定すると共に、当該特定したコード画像の前記各画像片に含まれる前記二値データパターンが表現する前記記録情報を認識する処理を含み、前記出力処理は、前記情報処理において認識された前記記録情報または当該記録情報に対応する情報を表示し、音声出力し、または送信する処理を含むことを特徴とする。
【発明の効果】
【００１４】
本発明によれば、ディスプレイ装置の画面に表示されたコンテンツ画像を見ながら、そのコンテンツ画像を見る位置を変えることなく、そのコンテンツ画像を見るだけでは得られないさらなる情報を取得することができるといった利便性を利用者にもたらすことができる。
【図面の簡単な説明】
【００１５】
【図１】本発明の実施形態による情報伝達システムを示すブロック図である。
【図２】本発明の実施形態による情報伝達システムにおけるディスプレイ装置を示す説明図である。
【図３】本発明の実施形態による情報伝達システムにおいて、ディスプレイ装置の画像表示領域に表示される画像を示す説明図である。
【図４】本発明の実施形態による情報伝達システムにおいて、画像表示領域に画像が表示されたディスプレイ装置を示す説明図である。
【図５】本発明の実施形態による情報伝達システムにおいて、分割されたコンテンツ画像が表示されたディスプレイ装置を示す説明図である。
【図６】本発明の実施形態による情報伝達システムにおいて、画面の一部にコード画像およびコンテンツ画像が表示されたディスプレイ装置を示す説明図である。
【図７】本発明の実施形態による情報伝達システムにおけるコード画像を示す説明図である。
【図８】本発明の実施形態による情報伝達システムにおけるコード画像を示す説明図である。
【図９】本発明の実施形態による情報伝達システムにおける二値データパターンを示す説明図である。
【図１０】本発明の実施形態による情報伝達システムの動作を示すフローチャートである。
【図１１】本発明の実施形態による情報伝達システムにおけるコード画像の変形例を示す説明図である。
【図１２】本発明の実施形態による情報伝達システムにおけるコード画像の変形例を示す説明図である。
【図１３】本発明の実施形態による情報伝達システムにおけるコード画像の変形例を示す説明図である。
【図１４】本発明の実施形態による情報伝達システムにおけるコード画像の変形例を示す説明図である。
【発明を実施するための形態】
【００１６】
以下、本発明の実施の形態につき、図面を参照しながら説明する。図１は、本発明の実施形態による情報伝達システムを示している。図１において、本発明の実施形態による情報伝達システム１は、ディスプレイ装置２、撮影装置３、情報処理装置４、および出力装置５を備えている。
【００１７】
ディスプレイ装置２は、例えば液晶表示画面等の、画像を表示する画面を備えた装置であり、例えば、テレビジョン装置、デジタルサイネージ、パーソナルコンピュータ用のモニタ装置等である。ディスプレイ装置２は、例えば４０型〜７０型、またはそれ以上の大型の画面を備えていることが望ましい。また、ディスプレイ装置２がテレビジョン装置である場合には、ディスプレイ装置２は、テレビジョン放送を受信するための受信機を備えている。また、ディスプレイ装置２がデジタルサイネージである場合には、ディスプレイ装置２は、画像配信用のサーバと通信を行う通信装置、および表示する画像を保存する記憶装置等を備えている。
【００１８】
また、ディスプレイ装置２は外部の画像提供装置６に接続されている。画像提供装置６は、ディスプレイ装置２の画面に表示する画像をディスプレイ装置２に提供する装置であり、例えば、ディスプレイ装置２がテレビジョン装置である場合には、テレビジョン放送の送信機であり、ディスプレイ装置２がデジタルサイネージである場合には、画像配信用のサーバコンピュータである。
【００１９】
撮影装置３はカメラを備え、ディスプレイ装置２の画面に表示された画像をカメラにより撮影する。情報処理装置４は演算処理装置および記憶装置等を備え、撮影装置３により撮影された画像に対して情報処理を行う。具体的には、情報処理装置４は、撮影装置３により撮影された画像中に表示された二値データパターンを読み取り、読み取った二値データパターンが表現する二値データを認識する。出力装置５は通信装置を備え、情報処理装置４による情報処理の結果を送信する。具体的には、出力装置５は、情報処理装置４により認識された二値データまたは当該二値データに対応する情報を外部のサーバ装置７に送信する。サーバ装置７は、例えばサーバコンピュータであり、出力装置５とインターネット等のコンピュータネットワークを介して接続されている。
【００２０】
撮影装置３、情報処理装置４および出力装置５は、例えばスマートフォン、携帯電話機、タブレット等のカメラ付き携帯端末８の機能として実現される。より具体的には、撮影装置３、情報処理装置４および出力装置５は、これらの装置としてカメラ付き携帯端末８を機能させるアプリケーションソフトウェア（コンピュータプログラム）をカメラ付き携帯端末８にインストールすることにより実現される。
【００２１】
図２はディスプレイ装置２を示している。図２に示すように、ディスプレイ装置２は画面１１を備え、画面１１中に画像が表示される。ここで、画面１１中において画像が表示される領域を画像表示領域１２という。通常、画像は画面１１の全体に表示される。この場合、画像表示領域１２は画面１１の全体である。また、ディスプレイ装置２は、画像を表示する範囲を画面１１の一部に制限する機能を備えることができる。この機能が実行されている場合、画像表示領域１２は画面１１の一部である。また、本実施形態において、画像表示領域１２は四角形であり、上辺１２Ａ、下辺１２Ｂ、左辺１２Ｃ、および右辺１２Ｄを有する。
【００２２】
図３は、ディスプレイ装置２の画像表示領域１２に表示される画像を示している。図４は、画像表示領域１２に画像が表示されたディスプレイ装置２を示している。図３に示すように、ディスプレイ装置２の画像表示領域１２に表示される画像は、コンテンツ画像２１とコード画像２２とを含む合成画像２３である。コンテンツ画像２１は、利用者（視聴者、消費者等）に視覚を通じて伝達したい情報を表現した静止画、絵、写真、文書、動画、映像、アニメーション、またはスライドショー等である。コンテンツ画像２１の内容は例えばテレビ番組、広告、案内表示等である。一方、コード画像２２は記録情報が二値データパターンとして記録された画像である。コード画像２２の詳細については後述する。図４に示すように、コード画像２２は画像表示領域１２内の周縁部に配置され、コンテンツ画像２１は画像表示領域１２内の中央部に配置される。
【００２３】
なお、図４には、コード画像２２内に１つのコンテンツ画像２１が配置されている場合を例にあげたが、図５に示すように、コード画像２２内には、複数のコンテンツ画像３１Ａ、３１Ｂ、３１Ｃ（または１つのコンテンツ画像が複数の部分画像に分割されたもの）を配置することもできる。また、図４には、画像表示領域１２がディスプレイ装置２の画面１１の全体に設定されている場合を例にあげたが、図６に示すように、画像表示領域１２がディスプレイ装置２の画面１１の一部に設定されている場合には、画面１１の一部に設定された画像表示領域１２内に合成画像２３が表示される。図６に示す画面１１において、画像表示領域１２以外の領域２４には、例えば、データ放送により提供される、番組紹介文や天気予報等の情報、およびこれらの情報を選択するための操作ボタンの画像等が表示される。
【００２４】
図７および図８はコード画像２２の構造を示している。図９はコード画像２２に含まれる二値データパターンを示している。図７に示すように、本実施形態において、コード画像２２は4つ画像片２２Ａ、２２Ｂ、２２Ｃおよび２２Ｄを有している。なお、理解の便宜のため、図７では、コード画像２２における４つの画像片２２Ａ、２２Ｂ、２２Ｃおよび２２Ｄをそれぞれ分離させて示している。画像片２２Ａ、２２Ｂ、２２Ｃおよび２２Ｄはそれぞれ細長い直線状に形成されている。また、図２、図４および図７を見るとわかる通り、画像片２２Ａは、画像表示領域１２の上辺１２Ａに沿い、上辺１２Ａの全長に亘って伸長している。また、画像片２２Ｂは、画像表示領域１２の下辺１２Ｂに沿い、下辺１２Ｂの全長に亘って伸長している。また、画像片２２Ｃは、画像表示領域１２の左辺１２Ｃに沿い、左辺１２Ｃのほぼ全長に亘って伸長している。また、画像片２２Ｄは、画像表示領域１２の右辺１２Ｄに沿い、右辺１２Ｄのほぼ全長に亘って伸長している。また、コード画像２２はコンテンツ画像を包囲している。また、コード画像２２は、画像表示領域１２の外形に沿い、画像表示領域１２の全周に亘って伸長している。また、各画像片２２Ａ、２２Ｂの左右方向の長さは画像表示領域１２の左右方向の長さのほぼ１００％であり、各画像片２２Ａ、２２Ｂの上下方向の長さは画像表示領域１２の上下方向の長さのほぼ５％である。また、各画像片２２Ｃ、２２Ｄの上下方向の長さは画像表示領域１２の上下方向の長さのほぼ９０％であり、各画像片２２Ｃ、２２Ｄの左右方向の長さは画像表示領域１２の左右方向の長さのほぼ３％である。
【００２５】
このように、コード画像２２は全体的に見て枠型の形状を有している。コード画像２２は枠型であるので、コード画像２２は画像表示領域１２の周縁部において画像表示領域１２の各辺に沿った細長い小さいな領域を占めるにすぎない。これにより、コード画像２２を画像表示領域１２内に表示しても、画像表示領域１２内の中央の大きな領域を、コンテンツ画像２１を表示する領域として確保することができる。すなわち、コード画像２２を画像表示領域１２内に表示しても、コンテンツ画像２１を利用者にとって見やすい位置に大きく表示することができ、コンテンツ画像２１がコード画像２２によって妨げられるのを防止することができる。したがって、利用者は、コンテンツ画像２１を見ながら、撮影装置３（携帯端末８）でコード画像２２を撮影することができる。
【００２６】
その一方で、コード画像２２を枠型に形成したことにより、コード画像２２の外形の大きさを画像表示領域１２の外形の大きさとほぼ等しくすることができる。これにより、利用者は、ディスプレイ装置２の画像表示領域１２に表示された画像を見る通常の位置、すなわち、ディスプレイ装置２から２メートル〜３メートル離れた位置から、撮影装置３（携帯端末８）のカメラをディスプレイ装置２に向けることで、画像表示領域１２に表示されたコード画像２２を適切に（コード画像２２を読み取るアプリケーションソフトウェアがコード画像２２を読み取るのに最適な状態で）撮影することができる。すなわち、利用者はコード画像２２を撮影するために、ディスプレイ装置２の画面１１に近づく必要はない。
【００２７】
また、図８に示すように、コード画像２２には二値データパターン２５および位置マーク２６が含まれている。二値データパターン２５は、図９に示すように、第１の色または第２の色を有する所定形状の複数の図形２５Ａ、２５Ｂを配列することにより形成された幾何学パターンであり、第１の色を有する図形２５Ａと第２の色を有する図形２５Ｂとの配列により二値データを表現する。第１の色と第２の色は互いに異なる色であり、例えば、第１の色は白色であり、第２の色は黒色である。また、各図形２５Ａ、２５Ｂの形状は例えば四角形である。二値データパターン２５は各画像片２２Ａ、２２Ｂ、２２Ｃ、２２Ｄに含まれている。情報処理装置４は、二値データパターン２５に対応する二値データを認識する際に、例えば、第1の色を有する図形２５Ａを「０」と認識し、第２の色を有する図形２５Ｂを「１」と認識する。
【００２８】
位置マーク２６は、コード画像２２の位置を示す幾何学マークである。本実施形態におけるコード画像２２は４つの位置マーク２６を有し、これらのうち２つの位置マーク２６は画像片２２Ａに含まれ、残る２つの位置マーク２６は画像片２２Ｂに含まれている。画像片２２Ａにおいて、位置マーク２６は画像片２２Ａの両端部に配置されている。また、画像片２２Ｂにおいて、位置マーク２６は画像片２２Ｂの両端部に配置されている。すなわち、４つの位置マーク２６は、コード画像２２の４隅に配置されている。情報処理装置４は、位置マーク２６に基づいてコード画像を特定することができる。位置マーク２６は、二値データパターン２５を形成する図形２５Ａ、２５Ｂとは異なる形状（例えば円の形状）を有することが望ましい。これにより、情報処理装置４による位置マーク２６の特定が容易になり、その結果、情報処理装置４によるコード画像２２の特定が容易になる。
【００２９】
コード画像２２には、記録情報を二値データに変換したものが二値データパターン２５として記録されている。記録情報を二値データパターン２５として記録することにより、情報処理装置４は記録情報を容易に認識することができる。記録情報の内容は任意に決めることができる。例えば、サーバ装置７から携帯端末８へダウンロードする情報を指定するためのＩＤを記録情報としてコード画像２２に記録する。そして、利用者が携帯端末８でコード画像２２を撮影したときには、携帯端末８がコード画像２２に記録されたＩＤを認識し、認識したＩＤを携帯端末８からサーバ装置７へ送信するようにする。さらに、携帯端末８から送信されたＩＤをサーバ装置７が受信したときには、サーバ装置７が携帯端末８へ、受信したＩＤにより指定された情報をダウンロードするようにする。このような仕組みをソフトウェアにより構築することにより、利用者は、ディスプレイ装置２の画面に表示されたコンテンツ画像２１を見ながら、ディスプレイ装置２の画面を撮影するだけで、当該コンテンツ画像２１を見るだけでは得られないさらなる情報を携帯端末８を介してその場で簡単に取得することができる。
【００３０】
図１０は情報伝達システム１の動作を示している。以下、ディスプレイ装置２がテレビジョン装置であり、画像提供装置６がテレビジョン放送の送信機であり、情報伝達システム１を利用してテレビショッピング番組の放送を行う場合を例にあげ、情報伝達システム１の動作を説明する。
【００３１】
商品の販売者または番組の放送者は、テレビショッピング番組において視聴者に商品の購入を促すタイミングで、図３に示すような合成画像２３をディスプレイ装置２の画像表示領域１２内に表示する（ステップS１）。この合成画像２３の中央部に配置されたコンテンツ画像２１は商品（ハンドバッグ）の画像である。この画像には、商品の写真と共に商品の値段や色など、商品の基本的な情報が表示されている。また、この合成画像２３の周縁部に配置されたコード画像２２には、販売者のウェブサイトの当該商品に関する詳細な情報（例えば、商品の寸法や、商品に関するレビュー等）が記述されたウェブページのＵＲＬが記録情報（二値データパターン２５）として記録されている。
【００３２】
視聴者は、ディスプレイ装置２から２メートル〜３メートル程度離れた位置から、番組を視聴しており、商品の購入を促されたタイミングで、その位置から、撮影装置３（携帯端末８）のカメラをディスプレイ装置２に向け、ディスプレイ装置２の画面１１を撮影する。これにより、画面１１中の画像が撮影される（ステップＳ２）。
【００３３】
情報処理装置４（携帯端末８）は、撮影した画像中にコード画像２２があるか否かを判断する（ステップＳ３）。例えば、情報処理装置４は、撮影した画像中に位置マーク２６があるか否かを判断し、位置マーク２６がある場合には、撮影した画像中にコード画像２２があると判断する（ステップＳ３：ＹＥＳ）。
【００３４】
撮影した画像中にコード画像２２がある場合、情報処理装置４（携帯端末８）は、コード画像２２を読み取る（ステップＳ４）。具体的には、情報処理装置４は、合成画像２３中のコード画像２２の各画像片２２Ａ、２２Ｂ、２２Ｃ、２２Ｄに含まれる二値データパターン２５が表現する二値データ、すなわち記録情報を認識する。認識された記録情報は、販売者のウェブサイトの商品に関する詳細な情報を記述したウェブページのＵＲＬである。
【００３５】
続いて、出力装置５（携帯端末８）は、例えば、携帯端末８にインストールされているウェブブラウザを起動し、認識されたＵＲＬをウェブブラウザからサーバ装置７へ送信する（ステップＳ５）。これにより、携帯端末８には、サーバ装置７から、商品に関する詳細な情報が記述されたウェブページのデータがダウンロードされ、当該ウェブページが携帯端末８の画面に表示される（ステップＳ６）。この結果、利用者は、携帯端末８の画面を通じて、ディスプレイ装置２の画面１１からは得られない、商品に関する詳細な情報を取得することができる。
【００３６】
以上説明した通り、本発明の実施形態による情報伝達システム１によれば、利用者は、ディスプレイ装置２の画面１１に表示されたコンテンツ画像２１を見ながら、そのコンテンツ画像２１を見る位置を変えることなく、そのコンテンツ画像２１を見るだけでは得られないさらなる情報を取得することができる。
【００３７】
なお、上述した実施形態においては、図４に示すように、コード画像２２を、４つの画像片２２Ａ、２２Ｂ、２２Ｃおよび２２Ｄを画像表示領域の上辺１２Ａ、下辺１２Ｂ、左辺１２Ｃおよび右辺１２Ｄにそれぞれ配置することによりコンテンツ画像２１を完全に包囲する構成したが、本発明はこれに限らない。図１１に示すコード画像３２のように、２つの画像片３２Ａおよび３２Ｂを画像表示領域１２の上辺および下辺にそれぞれ配置するのみとしてもよい。また、図１２に示すコード画像４２のように、２つの画像片４２Ａおよび４２Ｂを画像表示領域１２の左辺および右辺にそれぞれ配置するのみとしてもよい。また、図１３に示すコード画像５２のように、２つの画像片５２Ａおよび５２Ｂを画像表示領域１２の下辺および左辺にそれぞれ配置するのみとしてもよい。また、図１４に示すコード画像６２のように、３つの画像片６２Ａ、６２Ｂおよび６２Ｃを画像表示領域１２の下辺、左辺および右辺にそれぞれ配置するのみとしてもよい。
【００３８】
また、コード画像２２において、画像表示領域１２の上辺１２Ａまたは下辺１２Ｂに沿って伸長する画像片２２Ａまたは２２Ｂの左右方向の長さは、画像表示領域１２の左右方向の長さの１００％（図７参照）に限らない。しかしながら、ディスプレイ装置２から離れた位置からの撮影によりコード画像の読取を可能にするためには、コード画像２２の外形を画像表示領域１２の外形に近づけることが望ましく、そのために、当該画像片２２Ａまたは２２Ｂの左右方向の長さは、画像表示領域１２の左右方向の長さの８０％以上かつ１００％以下であることが望ましい。また、当該画像片２２Ａまたは２２Ｂの上下方向の長さは、画像表示領域１２の上下方向の長さの５％（図７参照）に限らない。しかしながら、ディスプレイ装置２の画面１１中においてコンテンツ画像２１を表示するための広い領域を確保するために、当該画像片２２Ａまたは２２Ｂの上下方向の長さは、画像表示領域１２の上下方向の長さの０％よりも大きくかつ２０％以下であることが望ましい。
【００３９】
また、コード画像２２において、画像表示領域１２の左辺１２Ｃまたは右辺１２Ｄに沿って伸長する画像片２２Ｃまたは２２Ｄの上下方向の長さは、画像表示領域１２の上下方向の長さの９０％（図７参照）に限らない。しかしながら、ディスプレイ装置２から離れた位置からの撮影によりコード画像の読取を可能にするためには、コード画像２２の外形を画像表示領域１２の外形に近づけることが望ましく、そのために、当該画像片２２Ｃまたは２２Ｄの上下方向の長さは、画像表示領域１２の上下方向の長さの８０％以上かつ１００％以下であることが望ましい。また、当該画像片２２Ｃまたは２２Ｄの左右方向の長さは、画像表示領域１２の左右方向の長さの３％（図７参照）に限らない。しかしながら、ディスプレイ装置２の画面１１中においてコンテンツ画像２１を表示するための広い領域を確保するために、当該画像片２２Ｃまたは２２Ｄの左右方向の長さは、画像表示領域１２の左右方向の長さの０％よりも大きくかつ２０％以下であることが望ましい。
【００４０】
また、コード画像２２の二値データパターン２５を形成する各図形２５Ａ、２５Ｂは四角形に限らず、例えば三角形、六角形または円形でもよい。また、各図形２５Ａ、２５Ｂに付される２種類の色は白色、黒色に限らない。また、上述した実施形態では、４つの位置マーク２６をコード画像２２の４隅に配置する場合を例にあげたが、本発明はこれに限らない。例えば、３つの位置マーク２６をコード画像２２の３隅に配置してもよい。また、位置マークの個数を増やし、例えば、画像片の中間部分にも位置マークを配置してもよい。また、位置マークの形状も図８に示すような円形に限らない。
【００４１】
また、上述した実施形態では、携帯端末８において、撮影装置３によりコード画像２２を撮影し、情報処理装置４によりコード画像２２に含まれる二値データを認識した際に、その二値データを出力装置５によりサーバ装置７へ送信する場合を例にあげたが、本発明はこれに限らない。認識した二値データを、出力装置５により出力する態様としては、次に述べる通り、種々の態様を採用することができる。
【００４２】
例えば、文字列を二値データに変換したものを二値データパターン２５としてコード画像２２に記録し、このコード画像２２を撮影装置３により撮影し、このコード画像２２に含まれる二値データを情報処理装置４により認識した際に、認識した二値データに対応する文字列を携帯端末８の画面に表示してもよい。
【００４３】
また、携帯端末８にいくつかの音声データを記憶しておき、また、音声データ選択用の識別情報を二値データに変換したものを二値データパターン２５としてコード画像２２に記録し、このコード画像２２を撮影装置３により撮影し、このコード画像２２に含まれる二値データを情報処理装置４により認識した際に、認識した二値データに対応する識別情報に従って、携帯端末８に記憶された音声データのうちの１つを選択し、その選択した音声データを携帯端末８のスピーカから音声出力してもよい。これと同様の方法で、コード画像２２から読み取った識別情報に従って、携帯端末８において特定の動画データを再生するようにしてもよい。また、音声データまたは動画データをサーバ装置７に記憶しておき、コード画像２２から読み取った識別情報を携帯端末８からサーバ装置７へ送信し、その識別情報に従って特定の音声データまたは動画データをサーバ装置７から携帯端末８へダウンロードするようにしてもよい。
【００４４】
また、上記実施形態では、主にディスプレイ装置２がテレビジョン装置である場合につき説明したが、ディスプレイ装置２がデジタルサイネージである場合、本発明の実施形態による情報伝達システム１は次のような作用効果を奏する。すなわち、ディスプレイ装置２がデジタルサイネージである場合、ディスプレイ装置２が、人間の身長よりも高い位置や、障害物を隔てて向こう側に設置される場合がある。例えば、ディスプレイ装置２が通行ゲートの上側に設置され、通行ゲートをくぐる通行者に向けて情報を提供する場合や、ディスプレイ装置２が地下鉄の駅のホームから線路を隔てて向こう側に設置される場合等である。このような場合には、利用者（通行者や地下鉄の利用客等）はディスプレイ装置２の画面に近づくことができない。このような場合でも、情報伝達システム１によれば、コード画像の外形の大きさがディスプレイ装置２の画面（画像表示領域）の外形の大きさとほぼ等しいので（すなわち、ディスプレイ装置２の画面が大型であれば、コード画像もそれと同じく大型になるので）、利用者は、ディスプレイ装置２から離れた位置から、携帯端末８でディスプレイ装置２の画面を撮影すれば、画面に表示されたコード画像を読み取ることができる。また、この場合でも、コード画像は枠型であるので、ディスプレイ装置２に表示されるコンテンツ画像がコード画像により隠されてしまうことはない。
【００４５】
また、本発明は、請求の範囲および明細書全体から読み取ることのできる発明の要旨または思想に反しない範囲で適宜変更可能であり、そのような変更を伴う情報伝達システムおよび情報伝達方法もまた本発明の技術思想に含まれる。
【符号の説明】
【００４６】
１  情報伝達システム
２  ディスプレイ装置
３  撮影装置
４  情報処理装置
５  出力装置
６  画像提供装置
７  サーバ装置
８  携帯端末
１１  画面
１２  画像表示領域
１２Ａ  上辺
１２Ｂ  下辺
１２Ｃ  左辺
１２Ｄ  右辺
２１、３１Ａ、３１Ｂ、３１Ｃ  コンテンツ画像
２２、３２、４２、５２、６２  コード画像
２２Ａ、２２Ｂ、２２Ｃ、２２Ｄ、３２Ａ、３２Ｂ、４２Ａ、４２Ｂ、５２Ａ、５２Ｂ、６２Ａ、６２Ｂ、６２Ｃ  画像片
２３  合成画像
２５  二値データパターン
２５Ａ、２５Ｂ  図形
２６  位置マーク
【要約】
【課題】ディスプレイ装置の画面に表示されたコンテンツ画像を見ながら、そのコンテンツ画像を見る位置を変えることなく、そのコンテンツ画像を見るだけでは得られないさらなる情報を取得することができるといった利便性を利用者にもたらす。
【解決手段】ディスプレイ装置２の画面の中央部にコンテンツ画像２１を表示し、周縁部にコード画像２２を表示する。コード画像２２には二値データが二値データパターンとして記録されている。携帯端末により、コード画像２２を撮影し、二値データを認識し、その二値データをサーバ装置へ送信し、特定の情報をサーバ装置から取得することができる。コード画像２２は枠型なので、コンテンツ画像の表示の妨げとならない。また、コード画像２２の外形は画面１１の外形と同じなので、携帯端末で、コード画像２２をディスプレイ装置２から離れた位置から撮影しても、二値データの認識を正しく行うことができる。
【選択図】図４【図１】
0005798225.tif 000002
【図２】
0005798225.tif 000003
【図３】
0005798225.tif 000004
【図４】
0005798225.tif 000005
【図５】
0005798225.tif 000006
【図６】
0005798225.tif 000007
【図７】
0005798225.tif 000008
【図８】
0005798225.tif 000009
【図９】
0005798225.tif 000010
【図１０】
0005798225.tif 000011
【図１１】
0005798225.tif 000012
【図１２】
0005798225.tif 000013
【図１３】
0005798225.tif 000014
【図１４】
0005798225.tif 000015